(57)【要約】【課題】セキュアジョブの実行処理が中断した場合に、中断したセキュアジョブと異なるセキュアジョブが認証され、その認証された異なるセキュアジョブの画像処理を実行可能な場合は、当該異なるセキュアジョブの画像処理を実行することができる画像処理装置を提供する。【解決手段】セキュリティ対応ジョブの実行が中断すると、認証情報の入力が可能な状態になる。そして、セキュリティ対応ジョブの中断中に入力された認証情報がＲＡＭ７３に記憶されている印刷ジョブの認証情報の少なくとも１つと一致し、かつ、当該印刷ジョブを実行可能である場合、中断中ジョブに優先して、当該印刷ジョブを画像形成部１０によって実行することができる。【選択図】図６
2015162812.tif 000002
【特許請求の範囲】
【請求項１】
画像処理を実行する画像処理部と、
認証情報が入力される認証情報入力部と、
前記画像処理部によって実行される機密指定されたセキュアジョブ、及び、当該セキュアジョブの認証情報が記憶される記憶部と、
制御部と、
を備え、
前記制御部は、
前記認証情報入力部に入力された前記認証情報を取得する認証情報取得処理と、
前記認証情報取得処理によって取得された認証情報と前記記憶部に記憶された認証情報とが一致するかを判断し、一致する認証情報に該当するセキュアジョブを前記画像処理部によって実行する第１セキュアジョブ実行処理と、
前記第１セキュアジョブ実行処理中の中断事由による実行の中断中に、前記認証情報入力部を用いて前記認証情報を入力可能にする再認証情報入力可能処理と、
前記再認証情報入力可能処理後に入力された認証情報と前記中断事由により中断したセキュアジョブと異なるセキュアジョブの認証情報とが一致する場合であって、かつ、前記画像処理部を用いて前記異なるセキュアジョブが実行可能であると判断される場合、前記中断したセキュアジョブを待機させ、前記異なるセキュアジョブを前記画像処理部によって実行する第２セキュアジョブ実行処理と、
を有する、
画像処理装置。
【請求項２】
請求項１に記載の画像処理装置であって、
前記制御部は、
前記第２セキュアジョブ実行処理において、
前記再認証情報入力可能処理後に入力された認証情報と前記中断したセキュアジョブと異なるセキュアジョブの認証情報とが一致する場合に、前記中断したセキュアジョブを選択するか、もしくは、前記異なるセキュアジョブを前記画像処理部によって実行するか否かを選択可能であって、
前記中断したセキュアジョブが選択された場合、前記中断したセキュアジョブを待機させ、
前記異なるセキュアジョブが選択された場合、前記中断したセキュアジョブを待機させ、前記異なるセキュアジョブを前記画像処理部によって実行する、
画像処理装置。
【請求項３】
請求項１又は２に記載の画像処理装置であって、
前記制御部は、
前記第１セキュアジョブ実行処理による実行が中断した際、その中断事由が解消されたか否かを判断する中断事由解消判断処理を有し、
前記第２セキュアジョブ実行処理は、
前記中断事由解消判断処理によって前記中断事由が解消されたと判断し、かつ、前記再認証情報入力可能処理後に入力された認証情報と前記中断したセキュアジョブの認証情報とが一致した場合にのみ、前記中断したセキュアジョブの実行を前記画像処理部によって再開させる、
画像処理装置。
【請求項４】
請求項３に記載の画像処理装置であって、
前記制御部は、
前記第２セキュアジョブ実行処理において、
前記中断事由解消判断処理によって前記中断事由が解消されたと判断し、かつ、前記再認証情報入力可能処理後によって入力された認証情報と前記中断したセキュアジョブと異なるセキュアジョブの認証情報とが一致し、かつ、前記画像処理部を用いて前記異なるセキュアジョブが実行可能であると判断する場合、前記中断したセキュアジョブを待機させ、前記異なるセキュアジョブを前記画像処理部によって実行する、
画像処理装置。
【請求項５】
請求項１〜４のいずれか一項に記載の画像処理装置であって、
前記制御部は、
セキュアジョブのキャンセル指示を受け付けるキャンセル指示受付処理と、
前記キャンセル指示受付処理によりキャンセル指示が受け付けられ、かつ、前記再認証情報入力可能処理後に入力された認証情報と前記中断したセキュアジョブの認証情報とが一致する場合、前記中断したセキュアジョブを削除するジョブ削除処理を更に有する、
画像形成装置。
【請求項６】
請求項３〜５のいずれか一項に記載の画像処理装置であって、
用紙を収容する収容部、
を更に備え、
前記画像処理部は、前記収容部から供給される用紙に画像を形成する画像処理を実行し、
前記制御部は、
前記第２セキュアジョブ実行処理において、
前記収容部に用紙が収容されていないという中断事由により前記セキュアジョブの実行が中断されており、前記異なるセキュアジョブに使用される用紙が当該収容部以外から前記画像処理部に供給可能である場合に、当該異なるセキュアジョブが実行可能であると判断する、
画像処理装置。
【請求項７】
請求項１〜６のいずれか一項に記載の画像形成装置であって、
用紙を収容する収容部、
を更に備え、
前記画像処理部は、前記収容部から供給される用紙に画像を形成する画像処理を実行し、
前記制御部は、
前記第２セキュアジョブ実行処理において、
前記セキュアジョブに使用される用紙とサイズが異なる用紙が前記収容部に収容されているという中断事由により前記セキュアジョブの実行が中断されており、当該収容部に収容されている用紙が前記異なるセキュアジョブに使用される用紙とサイズが同じである場合に、当該異なるセキュアジョブが実行可能であると判断する、
画像形成装置。
【発明の詳細な説明】
【技術分野】
【０００１】
本発明は、セキュアジョブを処理する画像処理装置に関する。
【背景技術】
【０００２】
従来、機密指定されたセキュアジョブを処理する機能を有する画像処理装置がある。このセキュアジョブを処理する機能とは、セキュアジョブが画像処理装置に予め記憶され、そのセキュアジョブに対応する所定のパスワードを操作パネルで入力しなければ、印刷処理等の画像処理が実行されないようにする機能である。これにより、例えば極秘文書など、他人に見られたくないような情報を印刷する際のセキュリティを高めることができる。
【０００３】
特許文献１の画像処理装置は、セキュアジョブの画像形成処理を実行中に紙詰りや用紙切れなどの中断事由が生じた際に、その中断事由が解消された場合であっても、セキュアジョブのパスワードを操作パネルから再度入力しない限り、セキュアジョブの画像形成処理が再開されない構成としている。この構成を採用することにより、セキュアジョブの画像形成要求をした使用者が画像処理装置近辺におらず、他の者によって紙詰りや用紙切れなどの中断事由が解消された場合に、そのまま、セキュアジョブの画像形成処理が再開され、他の者にセキュアジョブの内容が知られてしまうことを防止することができる。
【先行技術文献】
【特許文献】
【０００４】
【特許文献１】特開２００５−２３６３５７号公報
【発明の概要】
【発明が解決しようとする課題】
【０００５】
ところが、上記特許文献１の画像処理装置では、セキュアジョブの画像処理を実行した使用者がセキュアジョブのパスワードを操作パネルから再度入力しない限り、セキュアジョブの画像処理が再開されないため、他の者が紙詰りや用紙切れなどの中断事由を解消してのセキュアジョブを実行することができないという問題があった。
【０００６】
本発明は、セキュアジョブの実行処理が中断した場合に、中断したセキュアジョブと異なるセキュアジョブが認証され、その認証された異なるセキュアジョブの画像処理を実行可能な場合は、当該異なるセキュアジョブの画像処理を実行することができる画像処理装置を提供することを目的とする。
【課題を解決するための手段】
【０００７】
前記の目的を達成するため、本発明に係る画像処理装置は、画像処理を実行する画像処理部と、認証情報が入力される認証情報入力部と、画像処理部によって実行される機密指定されたセキュアジョブ、及び、当該セキュアジョブの認証情報が記憶される記憶部と、制御部とを備え、制御部は、認証情報入力部に入力された認証情報を取得する認証情報取得処理と、認証情報取得処理によって取得された認証情報と記憶部に記憶された認証情報とが一致するかを判断し、一致する認証情報に該当するセキュアジョブを画像処理部によって実行する第１セキュアジョブ実行処理と、第１セキュアジョブ実行処理中の中断事由による実行の中断中に、認証情報入力部を用いて認証情報を入力可能にする再認証情報入力可能処理と、再認証情報入力可能処理後に入力された認証情報と中断事由により中断したセキュアジョブと異なるセキュアジョブの認証情報とが一致する場合であって、かつ、画像処理部を用いて異なるセキュアジョブが実行可能であると判断される場合、中断したセキュアジョブを待機させ、異なるセキュアジョブを画像処理部によって実行する第２セキュアジョブ実行処理とを有する。
【０００８】
この構成によれば、第１セキュアジョブ実行処理中の中断事由により、セキュアジョブの実行が中断すると、認証情報の入力が可能になる。そして、セキュアジョブの中断中に入力された認証情報が中断したセキュアジョブと異なるセキュアジョブの認証情報と一致し、かつ、当該一致したセキュアジョブをその中断事由に係わらず実行できる場合、当該一致したセキュアジョブを画像処理部によって実行することができる。
【０００９】
制御部は、第２セキュアジョブ実行処理において、再認証情報入力可能処理後に入力された認証情報と中断したセキュアジョブと異なるセキュアジョブの認証情報とが一致する場合に、中断したセキュアジョブを選択するか、もしくは、異なるセキュアジョブを画像処理部によって実行するか否かを選択可能であって、中断したセキュアジョブが選択された場合、中断したセキュアジョブを待機させ、異なるセキュアジョブが選択された場合、中断したセキュアジョブを待機させ、異なるセキュアジョブを画像処理部によって実行してもよい。
【００１０】
この構成によれば、中断したセキュアジョブをそのまま待機させるか、それとも、中断したセキュアジョブ以外のセキュアジョブの画像処理を優先して実行させるか否かを選択することができる。
【００１１】
制御部は、第１セキュアジョブ実行処理による実行が中断した際、その中断事由が解消されたか否かを判断する中断事由解消判断処理を有し、第２セキュアジョブ実行処理は、中断事由解消判断処理によって中断事由が解消されたと判断し、かつ、再認証情報入力可能処理後に入力された認証情報と中断したセキュアジョブの認証情報とが一致した場合にのみ、中断したセキュアジョブの実行を画像処理部によって再開させてもよい。
【００１２】
この構成によれば、セキュアジョブの中断後、その中断事由が解消されても、中断中に再び入力される認証情報と第１セキュアジョブ実行処理中のセキュアジョブの認証情報とが一致した場合にのみ、中断したセキュアジョブが画像処理部によって再開される。そのため、中断したセキュアジョブの認証情報と異なる認証情報を入力した他人が中断事由を解消した場合に、当該セキュアジョブの内容を知られることを防止することができる。
【００１３】
制御部は、第２セキュアジョブ実行処理において、中断事由解消判断処理によって中断事由が解消されたと判断し、かつ、再認証情報入力可能処理後によって入力された認証情報と中断したセキュアジョブと異なるセキュアジョブの認証情報とが一致し、かつ、画像処理部を用いて異なるセキュアジョブが実行可能であると判断する場合、中断したセキュアジョブを待機させ、異なるセキュアジョブを前記画像処理部によって実行してもよい。
【００１４】
この構成によれば、セキュアジョブの中断後、その中断事由が解消された場合において、中断したセキュアジョブと異なるセキュアジョブを画像処理部によって実行させることができる。
【００１５】
制御部は、セキュアジョブのキャンセル指示を受け付けるキャンセル指示受付処理と、キャンセル指示受付処理によりキャンセル指示が受け付けられ、かつ、再認証情報入力可能処理後に入力された認証情報と中断したセキュアジョブの認証情報とが一致する場合、中断したセキュアジョブを削除するジョブ削除処理を更に有していてもよい。
【００１６】
この構成によれば、中断したセキュアジョブの認証情報と異なる認証情報を入力した他人によって、中断したセキュアジョブが削除されることを防止できる。
【００１７】
画像処理装置は、用紙を収容する収容部を更に備え、画像処理部は、収容部から供給される用紙に画像を形成する画像処理を実行し、制御部は、第２セキュアジョブ実行処理において、収容部に用紙が収容されていないという中断事由によりセキュアジョブの実行が中断されており、異なるセキュアジョブに使用される用紙が当該収容部以外から画像処理部に供給可能である場合に、当該異なるセキュアジョブが実行可能であると判断してもよい。
【００１８】
この構成によれば、セキュアジョブの中断事由が収容部に用紙が収容されていないという事由である場合、当該収容部以外から画像処理部に供給可能な用紙を使用するセキュアジョブについては、そのジョブを実行することができる。
【００１９】
また、用紙を収容する収容部を更に備える構成において、画像処理部は、収容部から供給される用紙に画像を形成する画像処理を実行し、制御部は、第２セキュアジョブ実行処理において、セキュアジョブに使用される用紙とサイズが異なる用紙が収容部に収容されているという中断事由によりセキュアジョブの実行が中断されており、当該収容部に収容されている用紙が異なるセキュアジョブに使用される用紙とサイズが同じである場合に、当該異なるセキュアジョブが実行可能であると判断してもよい。
【００２０】
この構成によれば、セキュアジョブの中断事由がそのジョブに使用される用紙とサイズが異なる用紙が収容部に収容されているという事由である場合、当該収容部に収容されているサイズの用紙を使用するセキュアジョブについては、そのジョブを実行することができる。
【発明の効果】
【００２１】
本発明によれば、セキュアジョブの実行処理が中断した場合に、中断したセキュアジョブと異なるセキュアジョブが認証され、その認証された異なるセキュアジョブの画像処理が実行可能な場合は、当該異なるセキュアジョブを実行することができる。
【図面の簡単な説明】
【００２２】
【図１】本発明の一実施形態に係るＭＦＰの左前上側から見た斜視図である。
【図２】ＭＦＰの電気的構成を示すブロック図である。
【図３Ａ】印刷ジョブ処理の流れを示すフローチャート（その１）である。
【図３Ｂ】印刷ジョブ処理の流れを示すフローチャート（その２）である。
【図４】エラー解除時処理の流れを示すフローチャートである。
【図５】エラー発生時処理の流れを示すフローチャートである。
【図６】エラー発生中キャンセル処理の流れを示すフローチャートである。
【図７】ジョブ優先処理の流れを示すフローチャートである。
【発明を実施するための形態】
【００２３】
以下では、本発明の実施の形態について、添付図面を参照しつつ詳細に説明する。
【００２４】
＜機械的構成＞
【００２５】
画像処理装置の一例としてのＭＦＰ（Multi-Function Peripheral）１は、図１に示されるように、プリンタ本体２、スキャナ本体３およびＡＤＦ（Auto Document Feeder）４を備えている。
【００２６】
なお、以下の説明では、平面上に載置したＭＦＰ１を操作パネル７（後述する）が設けられている側から見て規定した上下、左右および前後の各方向を使用する。
【００２７】
プリンタ本体２内には、画像形成部１０（図２参照）が収容されている。画像形成部１０は、画像データに基づく印刷（カラー印刷またはモノクロ印刷）を実行し、用紙に画像を形成する。画像形成の方式は、電子写真方式であってもよいし、インクジェット方式であってもよい。電子写真方式では、用紙にトナー像が転写および定着されることにより、用紙に画像が形成される。インクジェット方式では、用紙に微滴化したインクが直接に噴射されることにより、用紙に画像が形成される。
【００２８】
プリンタ本体２の最下部には、給紙トレイ５が設けられている。収容部の一例としての給紙トレイ５は、複数枚の用紙を積層状態で収容可能に構成されている。プリンタ本体２の上面には、排紙トレイ６が形成されている。給紙トレイ５に収容されている用紙は、給紙トレイ５からプリンタ本体２内に１枚ずつ送り出され、プリンタ本体２内を排紙トレイ６に向けて搬送される。用紙がプリンタ本体２内を搬送される間に、画像形成部１０によって、当該用紙に画像が形成される。画像が形成された用紙（印刷物）は、排紙トレイ６に排出される。
【００２９】
スキャナ本体３は、プリンタ本体２の上方に配置されている。スキャナ本体３の上面には、コンタクトガラス（図示せず）が配置されている。スキャナ本体３内には、画像読取部２０（図２参照）が左右方向に往復移動可能に設けられている。画像読取部２０は、ＬＥＤ光源、レンズおよびイメージセンサなどを備えている。
【００３０】
ＡＤＦ４は、スキャナ本体３の上方に配置されている。ＡＤＦ４の後端部は、スキャナ本体３に回動可能に連結されている。ＡＤＦ４は、後端部を支点とする回動により、スキャナ本体３の上面に覆い被さる使用位置と、スキャナ本体３に対して前側が持ち上がった非使用位置とに変位可能である。ＡＤＦ４は、使用位置に位置する状態で、画像読取部２０による画像読取対象の原稿をコンタクトガラス上を経由して搬送することができる。また、ＡＤＦ４が非使用位置に位置する状態で、コンタクトガラスが露出し、コンタクトガラス上に原稿を載置することができる。
【００３１】
ＡＤＦ方式による原稿画像の読み取りの際には、画像読取部２０が所定位置に停止される。ＡＤＦ４により搬送される原稿がコンタクトガラス上を経由するときに、画像読取部２０から原稿に光が照射される。原稿での反射光が画像読取部２０のイメージセンサに受けられることにより、原稿に形成されている画像の読み取りが達成される。
【００３２】
フラットベット方式による画像の読み取りの際には、原稿がコンタクトガラス上に載置される。画像読取部２０が一定速度で移動されながら、画像読取部２０から原稿に光が照射される。原稿での反射光が画像読取部２０のイメージセンサに受けられることにより、原稿に形成されている画像の読み取りが達成される。
【００３３】
また、ＭＦＰ１は、操作パネル７を備えている。操作パネル７は、たとえば、スキャナ本体３の前端部に配置されている。操作パネル７には、表示部３０、操作部４０およびＮＦＣ（Near Field Communication）部５０が設けられている。
【００３４】
表示部３０は、たとえば、液晶表示器からなる。表示部３０には、各種の情報が表示される。
【００３５】
操作部４０は、各種の操作ボタンからなる。操作ボタンの押操作により、各種の入力が可能である。操作ボタンには、たとえば、各種の指示（たとえば、画像処理の開始指示）を確定するためのＯＫボタン、各種の指示をキャンセルするためのキャンセルボタン、表示部３０に表示されるキーを選択するための十字ボタン、数字や文字を入力するためのテンキーなどが含まれる。
【００３６】
認証情報入力部の一例としてのＮＦＣ部５０は、ＩＤカードなどの非接触ＩＣカードとの間で無線による双方向通信を行うことができる。
【００３７】
＜電気的構成＞
【００３８】
ＭＦＰ１は、図２に示されるように、通信インターフェース（Ｉ／Ｆ）６０を備えている。
【００３９】
通信インターフェース６０は、ＬＡＮ（Local Area Network）に接続されているＰＣ（パーソナルコンピュータ）などの外部装置との通信のためのインターフェースである。通信の方式は、無線通信方式であってもよいし、有線通信方式であってもよい。
【００４０】
また、ＭＦＰ１は、制御部の一例としてのＡＳＩＣ（Application Specific Integrated Circuit）７１、ＲＯＭ７２およびＲＡＭ７３を備えている。
【００４１】
ＡＳＩＣ７１は、ＣＰＵ７４を内蔵している。ＡＳＩＣ７１には、操作部４０の操作による指示、ＮＦＣ部５０によりＩＤカードから読み取られた識別情報が入力される。また、ＡＳＩＣ７１には、外部装置から送信される印刷ジョブが通信インターフェース６０を介して入力される。図２には、外部装置の一例として、ＰＣ（Personal Computer）８０が示されている。ＣＰＵ７４は、ＡＳＩＣ７１に入力される情報に基づいて、各種の処理のためのプログラムを実行することにより、画像形成部１０、画像読取部２０および表示部３０を制御し、通信インターフェース６０を介した通信を制御する。
【００４２】
なお、以下では、ＰＣ８０から送信される印刷ジョブがＭＦＰ１に受け付けられる場合を例にとる。
【００４３】
ＲＯＭ７２には、ＣＰＵ７４によって実行されるプログラムおよび各種のデータなどが記憶されている。
【００４４】
記憶部の一例としてのＲＡＭ７３は、ＣＰＵ７４がプログラムを実行する際のワークエリアとして使用される。
【００４５】
＜印刷ジョブ処理＞
【００４６】
ＭＦＰ１の電源が投入されている間、ＡＳＩＣ７１のＣＰＵ７４は、図３Ａおよび図３Ｂに示される印刷ジョブ処理を繰り返し実行する。
【００４７】
印刷ジョブ処理では、ＣＰＵ７４は、印刷ジョブの実行の指示が入力されたか否かを判断する（Ｓ１）。印刷ジョブの実行の指示は、ＰＣ８０から送信された印刷ジョブがＭＦＰ１に受け付けられた後、ユーザが操作部４０を操作することにより入力されてもよいし、ＰＣ８０からＭＦＰ１に印刷ジョブの実行の指示が入力されてもよい。
【００４８】
なお、ＭＦＰ１が印刷ジョブを受け付けると、ＣＰＵ７４は、その印刷ジョブをＲＡＭ７３に記憶させる。印刷ジョブには、画像データが含まれている。また、印刷ジョブがセキュリティ対応の印刷ジョブ（以下、「セキュリティ対応ジョブ」という。）である場合、そのセキュリティ対応ジョブには、認証情報（たとえば、セキュリティ対応ジョブを送信したユーザのユーザＩＤ）が付随している。ＭＦＰ１がセキュリティ対応ジョブを受け付けた場合、ＣＰＵ７４は、セキュリティ対応ジョブをこれに付随する認証情報と対応づけてＲＡＭ７３に記憶させる。
【００４９】
印刷ジョブの実行の指示が入力されていない場合（Ｓ１：ＮＯ）、ＣＰＵ７４は、以下の制御処理を印刷ジョブの実行の指示が入力されるまで待機する。
【００５０】
印刷ジョブの実行の指示が入力されると（Ｓ１：ＹＥＳ）、ＣＰＵ７４は、その実行の対象である印刷ジョブがセキュリティ対応ジョブであるか否かを判断する（Ｓ２）。印刷ジョブがセキュリティ対応ジョブであるか否かは、ＲＡＭ７３に印刷ジョブと対応づけて認証情報が記憶されているか否かにより判断することができる。すなわち、実行対象の印刷ジョブが認証情報と対応づけられてＲＡＭ７３に記憶されている場合、その印刷ジョブがセキュリティ対応ジョブであると判断することができる。一方、実行対象の印刷ジョブが認証情報と対応づけられずにＲＡＭ７３に記憶されている場合、その印刷ジョブが通常の印刷ジョブ（セキュリティ対応ジョブではない印刷ジョブ）であると判断することができる。
【００５１】
実行対象の印刷ジョブがセキュリティ対応ジョブでない場合には（Ｓ２：ＮＯ）、ＣＰＵ７４は、実行対象の印刷ジョブを実行して（Ｓ３）、印刷ジョブ処理を終了する。印刷ジョブの実行とは、ＣＰＵ７４により、印刷ジョブに含まれる画像データに基づいて画像形成部１０が制御され、画像形成部１０により、当該画像データに対応した画像（印刷ジョブに応じた画像）が用紙に形成されることをいう。
【００５２】
実行対象の印刷ジョブがセキュリティ対応ジョブである場合には（Ｓ２：ＹＥＳ）、ＣＰＵ７４は、表示部３０における表示などにより、ユーザに対して認証情報の入力を求め、ユーザの操作により入力される認証情報を取得する（Ｓ４）。認証情報の入力のため、ユーザは、たとえば、ユーザが所有するＩＤカードをＮＦＣ部５０に近づける。ＩＤカードがＮＦＣ部５０に近づけられると、ＮＦＣ部５０によりＩＤカードから認証情報（たとえば、ユーザＩＤ）が読み取られる。そして、その読み取られた認証情報がＡＳＩＣ７１に入力されることにより、認証情報が取得される。
【００５３】
その後、ＣＰＵ７４は、ユーザ認証に成功したか否かを判断する（Ｓ５）。すなわち、ＣＰＵ７４は、ＩＤカードから読み取られた認証情報がセキュリティ対応ジョブと対応づけられている認証情報と一致するか否かを判断する。そして、ＣＰＵ７４は、それらの認証情報が一致すれば、ユーザ認証が成功と判断し、それらの認証情報が相違すれば、ユーザ認証が不成功（失敗）と判断する。
【００５４】
ＣＰＵ７４は、ユーザ認証が成功するまで（Ｓ５：ＮＯ）、ユーザ認証が成功したか否かを判断する（Ｓ５）。
【００５５】
ユーザ認証が成功すると（Ｓ５：ＹＥＳ）、ＣＰＵ７４は、実行対象のセキュリティ対応ジョブの実行を開始する（Ｓ６）。
【００５６】
セキュリティ対応ジョブの実行開始後、ＣＰＵ７４は、その実行開始されたセキュリティ対応ジョブの実行が中断しているか否かを判断する（Ｓ７）。
【００５７】
セキュリティ対応ジョブの実行が中断していない場合（Ｓ７：ＮＯ）、つまりセキュリティ対応ジョブが実行中である場合、ＣＰＵ７４は、画像形成部１０による画像形成動作の中断を余儀なくされるエラーが発生しているか否かを判断する（Ｓ８）。
【００５８】
エラーとしては、たとえば、次のようなものが挙げられる。
【００５９】
（１）消耗品（たとえば、トナー、インク）が切れている。
（２）給紙トレイ５に用紙が収容されていない。
（３）セキュリティ対応ジョブの画像データが破損、欠落している。
（４）ＭＦＰ１で提供されていない用紙サイズが指定されている。
（５）セキュリティ対応ジョブが両面印刷を指定しているが、ＭＦＰ１が両面印刷を提供していない。
（６）用紙のジャム。
【００６０】
エラーが発生していない場合（Ｓ８：ＮＯ）、ＣＰＵ７４は、操作部４０のキャンセルボタンが押下されたか否かを判断する（Ｓ９）。
【００６１】
キャンセルボタンが押下されていない場合には（Ｓ９：ＮＯ）、ＣＰＵ７４は、セキュリティ対応ジョブが完了しているか否かを判断する（Ｓ１０）。
【００６２】
セキュリティ対応ジョブが完了していない場合には（Ｓ１０：ＮＯ）、ＣＰＵ７４は、セキュリティ対応ジョブの実行が中断しているか否かを再び判断する（Ｓ７）。
【００６３】
エラーが発生するか、または、キャンセルボタンが押下されるまで、セキュリティ対応ジョブの実行が継続される。そして、セキュリティ対応ジョブが完了すると（Ｓ１０：ＹＥＳ）、ＣＰＵ７４は、印刷ジョブ処理を終了する。
【００６４】
セキュリティ対応ジョブの実行中に、エラーが発生した場合には（Ｓ８：ＹＥＳ）、ＣＰＵ７４は、そのエラーの発生に応答して、画像形成部１０による画像形成動作を中断する。画像形成動作の中断により、セキュリティ対応ジョブの実行が必然的に中断される（Ｓ１１）。
【００６５】
セキュリティ対応ジョブの実行の中断後、ＣＰＵ７４は、操作部４０のキャンセルボタンが押下されたか否かを判断する（Ｓ１２）。
【００６６】
キャンセルボタンが押下されていない場合には（Ｓ１２：ＮＯ）、ＣＰＵ７４は、エラーが解除されたか否かを判断する（Ｓ１３）。
【００６７】
エラーが解除されている場合（Ｓ１３：ＹＥＳ）、ＣＰＵ７４は、エラー解除時処理を実行する（Ｓ１４）。エラー解除時処理については、後述する。
【００６８】
エラーが解除されていない場合（Ｓ１３：ＮＯ）、ＣＰＵ７４は、エラー発生時処理を実行する（Ｓ１５）。エラー発生時処理については、後述する。
【００６９】
セキュリティ対応ジョブの実行の中断後、キャンセルボタンが押下された場合には（Ｓ１２：ＹＥＳ）、ＣＰＵ７４は、エラー発生時キャンセル処理を実行する（Ｓ１６）。エラー発生時キャンセル処理については、後述する。
【００７０】
エラー解除時処理、エラー発生時処理またはエラー発生中処理の実行後、ＣＰＵ７４は、セキュリティ対応ジョブが完了しているか否かを判断する（Ｓ１０）。そして、セキュリティ対応ジョブが完了していない場合には（Ｓ１０：ＮＯ）、ＣＰＵ７４は、前述したステップＳ７以降の処理を実行する。
【００７１】
また、エラーが発生していない状態において（Ｓ８：ＮＯ）、キャンセルボタンが押下された場合には（Ｓ９：ＹＥＳ）、ＣＰＵ７４は、表示部３０における表示などにより、キャンセルボタンを押下したユーザに対して認証情報の入力を求める。認証情報が入力されると、ＣＰＵ７４は、入力された認証情報と実行中のセキュリティ対応ジョブに対応づけられている認証情報とが一致するか否かを判断する。そして、それらの認証情報が一致すれば、ユーザ認証が成功であると判断して（Ｓ１７：ＹＥＳ）、実行中のセキュリティ対応ジョブを削除し（Ｓ１８）、印刷ジョブ処理を終了する。
【００７２】
ユーザ認証が不成功であった場合には（Ｓ１７：ＮＯ）、ＣＰＵ７４は、実行中のセキュリティ対応ジョブを削除せず、そのセキュリティ対応ジョブが完了したか否かを判断する（Ｓ１０）。セキュリティ対応ジョブが完了していない場合には（Ｓ１０：ＮＯ）、ＣＰＵ７４は、前述したステップＳ７以降の処理を実行する。
【００７３】
＜エラー解除時処理＞
【００７４】
図３ＢのステップＳ１４で実行されるエラー解除時処理の流れは、図４に示されている。
【００７５】
印刷ジョブ記憶処理では、ＣＰＵ７４は、ＮＦＣ部５０からの認証情報の入力を可能な状態にする（Ｓ１４１）。
【００７６】
その後、ＣＰＵ７４は、表示部３０における表示などにより、キャンセルボタンを押下したユーザに対して認証情報の入力を求める。認証情報が入力されると、ＣＰＵ７４は、ユーザ認証を実行する。このユーザ認証には、ユーザ管理テーブルが用いられる。ユーザ管理テーブルは、たとえば、非図示のＮＶＲＡＭ（Non Volatile RAM）に記憶されている。ユーザ管理テーブルには、ＭＦＰ１の使用を許可されている各ユーザの認証情報（たとえば、ユーザＩＤ）が記憶されている。ユーザ認証において、ＣＰＵ７４は、入力された識別情報がユーザ管理テーブルに存在するか否かを判断し、当該組合せがユーザ管理テーブルに存在すれば、ユーザ認証が成功と判断する（Ｓ１４２：ＹＥＳ）。
【００７７】
ユーザ認証が不成功であった場合、つまり入力された識別情報がユーザ管理テーブルに存在しない場合には（Ｓ１４２：ＮＯ）、ＣＰＵ７４は、エラー解除時処理を終了する。
【００７８】
ユーザ認証が成功であった場合（Ｓ１４２：ＹＥＳ）、ＣＰＵ７４は、ユーザ認証された認証情報と中断中のセキュリティ対応ジョブ（以下、「中断中ジョブ」という。）に対応づけられている認証情報とが一致するか否かを判断する（Ｓ１４３）。
【００７９】
ユーザ認証された認証情報と中断中ジョブの認証情報とが一致した場合には（Ｓ１４３：ＹＥＳ）、エラーがすでに解除されているので、ＣＰＵ７４は、中断中ジョブの実行を再開させて（Ｓ１４４）、エラー解除時処理を終了する。
【００８０】
ユーザ認証された認証情報と中断中ジョブの認証情報とが一致しない場合（Ｓ１４３：ＮＯ）、つまり認証情報を入力したユーザがセキュリティ対応ジョブを送信したユーザと異なる場合には、ＣＰＵ７４は、ＲＡＭ７３に記憶されている印刷ジョブの中に、ユーザが入力した認証情報と対応づけられたセキュリティ対応ジョブ（以下、「後続ジョブ」という。）が存在するか否かを判断する（Ｓ１４５）。言い換えれば、ＣＰＵ７４は、ユーザが入力した認証情報とＲＡＭ７３に記憶されている印刷ジョブの各認証情報とが一致するか否かを判断する。
【００８１】
そして、後続ジョブが存在する場合には（Ｓ１４５：ＹＥＳ）、ＣＰＵ７４は、ジョブ優先処理を実行し（Ｓ１４６）、エラー解除時処理を終了する。ジョブ優先処理については、後述する。
【００８２】
後続ジョブが存在しない場合には（Ｓ１４５：ＹＥＳ）、ＣＰＵ７４は、ジョブ優先処理を実行せず、エラー解除時処理を終了する。この場合、エラーがすでに解除されているが、中断中ジョブが中断されたまま、図３Ｂに示される印刷ジョブ処理が継続される。
【００８３】
＜エラー発生時処理＞
【００８４】
図３ＢのステップＳ１５で実行されるエラー発生時処理の流れは、図５に示されている。
【００８５】
エラー発生時処理では、ＣＰＵ７４は、ＮＦＣ部５０からの認証情報の入力を可能な状態にする（Ｓ１５１）。
【００８６】
その後、ＣＰＵ７４は、ユーザ認証が成功したか否かを判断する（Ｓ１５２）。この判断処理は、図４のステップＳ１４２と同様の判断処理である。すなわち、ＣＰＵ７４は、表示部３０における表示などにより、キャンセルボタンを押下したユーザに対して認証情報の入力を求める。認証情報が入力されると、ＣＰＵ７４は、入力された識別情報がユーザ管理テーブルに存在するか否かを判断し、当該組合せがユーザ管理テーブルに存在すれば、ユーザ認証が成功と判断する（Ｓ１５２：ＹＥＳ）。
【００８７】
ユーザ認証が不成功であった場合には（Ｓ１５２：ＮＯ）、ＣＰＵ７４は、エラー発生時処理を終了する。
【００８８】
ユーザ認証が成功であった場合（Ｓ１５２：ＹＥＳ）、ＣＰＵ７４は、ユーザ認証された認証情報と中断中ジョブに対応づけられている認証情報とが一致するか否かを判断する（Ｓ１５３）。
【００８９】
ユーザ認証された認証情報と中断中ジョブの認証情報とが一致した場合には（Ｓ１５３：ＹＥＳ）、ＣＰＵ７４は、エラー発生時処理を終了する。
【００９０】
ユーザ認証された認証情報と中断中ジョブの認証情報とが一致しない場合（Ｓ１５３：ＮＯ）、ＣＰＵ７４は、ＲＡＭ７３に記憶されている印刷ジョブの中に、後続ジョブが存在するか否かを判断する（Ｓ１５４）。この判断処理は、図４のステップＳ１４５と同様の判断処理である。
【００９１】
後続ジョブが存在する場合には（Ｓ１５４：ＹＥＳ）、ＣＰＵ７４は、ジョブ優先処理を実行し（Ｓ１５５）、エラー発生時処理を終了する。ジョブ優先処理については、後述する。
【００９２】
後続ジョブが存在しない場合には（Ｓ１５４：ＮＯ）、ＣＰＵ７４は、ジョブ優先処理を実行せず、エラー発生時処理を終了する。
【００９３】
＜エラー発生時キャンセル処理＞
【００９４】
図３ＢのステップＳ１６で実行されるエラー発生時キャンセル処理の流れは、図６に示されている。
【００９５】
エラー発生時キャンセル処理では、ＣＰＵ７４は、ＮＦＣ部５０からの認証情報の入力を可能な状態にする（Ｓ１６１）。
【００９６】
その後、ＣＰＵ７４は、ユーザ認証が成功したか否かを判断する（Ｓ１６２）。この判断処理は、図４のステップＳ１４２と同様の判断処理である。すなわち、ＣＰＵ７４は、表示部３０における表示などにより、キャンセルボタンを押下したユーザに対して認証情報の入力を求める。認証情報が入力されると、ＣＰＵ７４は、入力された識別情報がユーザ管理テーブルに存在するか否かを判断し、当該組合せがユーザ管理テーブルに存在すれば、ユーザ認証が成功と判断する（Ｓ１６２：ＹＥＳ）。
【００９７】
ユーザ認証が不成功であった場合には（Ｓ１６２：ＮＯ）、ＣＰＵ７４は、エラー発生時キャンセル処理を終了する。
【００９８】
ユーザ認証が成功であった場合には（Ｓ１６２：ＹＥＳ）、ＣＰＵ７４は、ユーザ認証された認証情報と中断中ジョブに対応づけられている認証情報とが一致するか否かを判断する（Ｓ１６３）。
【００９９】
ユーザ認証された認証情報と中断中ジョブの認証情報とが一致した場合には（Ｓ１６３：ＹＥＳ）、ＣＰＵ７４は、中断中ジョブをＲＡＭ７３から削除し（Ｓ１６４）、エラー発生時キャンセル処理を終了する。
【０１００】
ユーザ認証された認証情報と中断中ジョブの認証情報とが一致しない場合（Ｓ１５３：ＮＯ）、ＣＰＵ７４は、ＲＡＭ７３に記憶されている印刷ジョブの中に、後続ジョブが存在するか否かを判断する（Ｓ１６５）。この判断処理は、図４のステップＳ１４５と同様の判断処理である。
【０１０１】
後続ジョブが存在する場合には（Ｓ１６５：ＹＥＳ）、ＣＰＵ７４は、ジョブ優先処理を実行し（Ｓ１６６）、エラー発生時キャンセル処理を終了する。ジョブ優先処理については、次に述べる。
【０１０２】
後続ジョブが存在しない場合には（Ｓ１６５：ＮＯ）、ＣＰＵ７４は、ジョブ優先処理を実行せず、エラー発生時キャンセル処理を終了する。
【０１０３】
＜ジョブ優先処理＞
【０１０４】
図４のステップＳ１４６、図５のステップＳ１５５および図６のステップＳ１６６で実行されるジョブ優先処理の流れは、図７に示されている。
【０１０５】
ジョブ優先処理では、ＣＰＵ７４は、後続ジョブが実行可能であるか否かを判断する（Ｓ２１）。後続ジョブが実行可能なケースには、エラーが解除されているケースはもちろん、現在発生中のエラーが解除されておらず、中断中ジョブは再開不能であるが、後続ジョブは実行可能なケースを含む。
【０１０６】
現在発生中のエラーが解除されなくても、後続ジョブが実行可能なケースとしては、たとえば、次のようなケースが挙げられる。
【０１０７】
（１）中断中ジョブはカラー印刷であり、後続ジョブはモノクロ印刷であって、カラー用の消耗品（たとえば、カラートナー）が切れている場合。
（２）中断中ジョブが指定している給紙トレイ５が用紙切れであって、後続ジョブが他の給紙トレイ５を指定しており、その給紙トレイ５に用紙が収容されている場合。
（３）中断中ジョブの画像データが破損、欠落している場合。
（４）中断中ジョブが指定する用紙サイズがＭＦＰ１で提供されていない用紙サイズであり、後続ジョブが指定する用紙サイズがＭＦＰ１で提供されている用紙サイズである場合。
（５）中断中ジョブが両面印刷を指定しているが、ＭＦＰ１が両面印刷を提供していない場合。
【０１０８】
後続ジョブが実行不能である場合には（Ｓ２１：ＮＯ）、ＣＰＵ７４は、ジョブ優先処理を終了する。
【０１０９】
後続ジョブが実行可能である場合には（Ｓ２１：ＹＥＳ）、ＣＰＵ７４は、表示部３０を制御して、表示部３０にジョブ選択画面を表示させる（Ｓ２２）。
【０１１０】
ジョブ選択画面には、たとえば、「現在のジョブを継続」および「自分のジョブを先に実施」という文字列が上下２段に表示される。操作部４０の十字ボタンの上方向ボタンまたは下方向ボタンの操作により、それらの文字列の一方を選択することができる。
【０１１１】
「現在のジョブを継続」が選択された状態で、操作部４０のＯＫボタンが押下されると、ＣＰＵ７４は、「現在のジョブを継続」が選択されたと判断する（Ｓ２３：ＹＥＳ）。この場合、以下の処理は行われず、ジョブ優先処理が終了される。
【０１１２】
一方、「自分のジョブを先に実施」が選択された状態で、操作部４０のＯＫボタンが押下されると、ＣＰＵ７４は、「自分のジョブを先に実施」が選択されたと判断する（Ｓ２４：ＹＥＳ）。
【０１１３】
そして、「自分のジョブを先に実施」が選択された場合には、ＣＰＵ７４は、後続ジョブを実行し（Ｓ２５）、ジョブ優先処理を終了する。
【０１１４】
なお、「現在のジョブを継続」または「自分のジョブを先に実施」が選択された状態で、操作部４０のＯＫボタンが押下されるまで、ジョブ選択画面が表示部３０に表示され続ける。
【０１１５】
＜作用効果＞
【０１１６】
以上のように、セキュリティ対応ジョブの実行が中断すると、認証情報の入力が可能な状態になる。そして、セキュリティ対応ジョブの実行の中断中に入力された認証情報がＲＡＭ７３に記憶されている印刷ジョブの認証情報の少なくとも１つと一致し（ＲＡＭ７３に記憶されている印刷ジョブの中に、後続ジョブが存在し）、かつ、その後続ジョブを実行可能である場合、中断中ジョブに優先して、後続ジョブを画像形成部１０によって実行することができる。
【０１１７】
ＭＦＰ１では、ＲＡＭ７３に記憶されている印刷ジョブの中に、後続ジョブが存在し、かつ、その後続ジョブを実行可能である場合に、「現在のジョブを継続」または「自分のジョブを先に実施」を選択することができる。「現在のジョブを継続」が選択された場合、つまり中断中ジョブが選択された場合には、後続ジョブが実行されず、そのセキュリティ対応ジョブの実行の中断が維持される。一方、「自分のジョブを先に実施」が選択された場合、つまり後続ジョブが選択された場合には、中断中ジョブに優先して、後続ジョブが実行される。
【０１１８】
たとえば、給紙トレイ５に用紙が収容されていないというエラーにより中断中ジョブが中断されており、後続ジョブに使用される用紙が給紙トレイ５以外から画像形成部１０に供給可能である場合には、エラーが解消されなくても、後続ジョブが実行可能である。この場合、エラーが解消されなくても、後続ジョブを実行することができる。
【０１１９】
また、中断中ジョブに使用される用紙とサイズが異なる用紙が給紙トレイ５に収容されているというエラーにより中断中ジョブが中断されており、給紙トレイ５に収容されている用紙が後続ジョブに使用される用紙とサイズが同じである場合、エラーが解消されなくても、後続ジョブが実行可能である。この場合、エラーが解消されなくても、後続ジョブを実行することができる。
【０１２０】
また、セキュリティ対応ジョブの中断事由であるエラーが解消され、かつ、セキュリティ対応ジョブの中断中に入力された認証情報と中断中ジョブの認証情報とが一致した場合には、中断中ジョブの実行が再開される。
【０１２１】
逆に、セキュリティ対応ジョブの中断後、その中断事由であるエラーが解消されても、中断中に入力された認証情報と中断中ジョブの認証情報とが一致しない場合には、中断中ジョブの実行が再開されない。そのため、中断中ジョブの認証情報と異なる認証情報を入力した他人がエラーを解消した場合に、中断中ジョブの内容を知られることを防止することができる。その結果、機密性を高めることができる。
【０１２２】
また、エラーが解消され、かつ、セキュリティ対応ジョブの実行の中断中に入力された認証情報と後続ジョブの認証情報とが一致した場合には、後続ジョブが実行される。これにより、セキュリティ対応ジョブの中断後、その中断事由であるエラーが解消された場合において、中断中ジョブに優先して、後続ジョブを実行させることができる。
【０１２３】
中断中ジョブのキャンセルが指示され、かつ、セキュリティ対応ジョブの実行の中断中に入力された認証情報と中断中ジョブの認証情報とが一致した場合には、中断中ジョブが削除される。これにより、中断中ジョブの認証情報と異なる認証情報を入力した他人によって、中断中ジョブが削除されることを防止できる。
【０１２４】
＜変形例＞
【０１２５】
以上、本発明の実施形態について説明したが、本発明は、他の形態で実施することもできる。
【０１２６】
たとえば、前述の実施形態においては、ユーザが所有するＩＤカードがＮＦＣ部５０に近づけられると、ＮＦＣ部５０によりＩＤカードから識別情報（ユーザＩＤ、ユーザ認証用パスワード）が読み取られて、その識別情報がＡＳＩＣ７１に入力されるとした。これに限らず、ユーザが操作部４０を操作して、ユーザＩＤおよびユーザ認証用パスワードを入力してもよい。
【０１２７】
また、後続ジョブの実行中にエラーが発生した場合には、後続ジョブを中断中ジョブに置き換えて、前述の実施形態で説明した各処理が実行されるとよい。これにより、後続ジョブがエラーにより中断した場合であっても、別の後続ジョブを実行することが可能となる。
【０１２８】
また、前述の実施形態では、現在発生中のエラーが解除されなくても、後続ジョブが実行可能なケースとして、６つのケースを列挙したが、列挙したケースは、エラーを発生したジョブおよび後続ジョブがともに印刷ジョブである場合の一例である。ＭＦＰ１で実行可能なジョブには、印刷ジョブの他に、画像読取部２０を使用する読取ジョブ、通信インターフェース６０を使用するＦＡＸジョブなどがある。これらのジョブが混ぜて実行される場合、現在発生中のエラーが解除されなくても、後続ジョブが実行可能なケースとしては、前述の６つのケースの他に、たとえば、次のようなケースを例示することができる。
【０１２９】
（１）印刷エラーが発生したが、後続ジョブが画像形成部１０を使用しないジョブ（たとえば、読取ジョブ、ＦＡＸ送信ジョブ）である場合。
（２）画像読取部２０による画像の読み取り中にエラーが発生したが、後続ジョブが画像読取部２０を使用しないジョブ（たとえば、印刷ジョブ、ＦＡＸ受信ジョブ）である場合。
【０１３０】
前述の実施形態では、ＣＰＵ７４が各処理を実行する場合について説明した。しかしながら、ＡＳＩＣ７１が複数のＣＰＵを備え、複数のＣＰＵが協働して各処理を実行してもよい。
【０１３１】
また、前述の実施形態では、画像形成装置の一例として、画像形成部１０による印刷機能を有するＭＦＰ１を取り上げたが、画像形成装置は、印刷機能を有する印刷装置のように、単機能の装置であってもよい。
【０１３２】
その他、前述の構成には、特許請求の範囲に記載された事項の範囲で種々の設計変更を施すことが可能である。
【符号の説明】
【０１３３】
１    画像処理装置
５    給紙トレイ
１０  画像処理部
５０  ＮＦＣ部
７３  ＲＡＭ
７４  ＣＰＵ
【図１】
2015162812.tif 000003
【図２】
2015162812.tif 000004
【図３Ａ】
2015162812.tif 000005
【図３Ｂ】
2015162812.tif 000006
【図４】
2015162812.tif 000007
【図５】
2015162812.tif 000008
【図６】
2015162812.tif 000009
【図７】
2015162812.tif 000010